(57)【要約】【課題】扉本体及び間仕切り本体等に形成される開口部を容易に閉鎖または開放すること。【解決手段】一端側を各バランスウェイト３０に連結すると共に、他端側をスライド部材１０の上端に接続した各ワイヤ３１を、扉本体１の左右上部に固定された各滑車３２に架け渡し、スライド部材１０に対して重量的なバランスを保つ一対のバランスウェイト３０の重量による引張り力によって、スライド部材１０の重力に反する方向の付勢力を付与する。そして、扉本体１の縦枠４に形成された案内溝２０によって、スライド部材１０のスライド移動を案内する。【選択図】図１
2010270496.tif 000002
【特許請求の範囲】
【請求項１】
表裏に貫通する所定の面積からなる開口部を形成した構造物本体と、
前記構造物本体の開口部に配設され、空気の流通を許容し、その表裏を透す視認性を阻害する前記開口部を閉鎖する通気性部材と、
前記構造物本体に対し上下方向にスライド自在に配設され、前記開口部に配設した通気性部材の面の開閉を行う通気性のないスライド部材と、
前記スライド部材のスライド移動を案内する案内溝と、
前記スライド部材が前記開口部に配設した通気性部材の面の閉鎖及び開放を行うように、前記スライド部材の重力に反する方向の付勢力を付与する付勢力付与手段と
を具備することを特徴とする通風機能付構造物。
【請求項２】
前記通気性部材は、網戸状または鎧戸状に構成してなることを特徴とする請求項１に記載の通風機能付構造物。
【請求項３】
前記スライド部材は、前記開口部に配設した通気性部材の両面を同時に閉鎖するように前記構造物本体の両面に設けたことを特徴とする請求項１または請求項２に記載の通風機能付構造物。
【請求項４】
前記スライド部材は、前記開口部に配設した通気性部材の片面を閉鎖するように前記構造物本体の片面に設けたことを特徴とする請求項１または請求項２に記載の通風機能付構造物。
【請求項５】
前記案内溝は、前記構造物本体の縦枠に形成され、断面形状が前記構造物本体の対向側に開口する凹状であることを特徴とする請求項１乃至請求項４の何れか１つに記載の通風機能付構造物。
【請求項６】
前記付勢力付与手段は、前記構造物本体の左右両側に上下動自在に配設した一対のバランスウェイトとし、その上端から前記スライド部材と前記各バランスウェイトを連結する一対の連結部材と、前記構造物本体の左右上部に固定され、前記各連結部材を架け渡す一対の滑車とからなることを特徴とする請求項１乃至請求項５の何れか１つに記載の通風機能付構造物。
【請求項７】
前記付勢力付与手段は、前記構造物本体の上部に水平配置したスプリングとし、その両側から前記スライド部材と前記スプリングを連結する一対の連結部材と、前記構造物本体の左右上部に固定され、前記各連結部材を架け渡す一対の滑車とからなることを特徴とする請求項１乃至請求項５の何れか１つに記載の通風機能付構造物。
【請求項８】
更に、前記スライド部材のスライド移動を係止する係止手段を具備することを特徴とする請求項１乃至請求項７の何れか１つに記載の通風機能付構造物。
【請求項９】
前記係止手段は、前記スライド部材に形成された係止孔に、前記構造物本体から前記スライド部材方向に突設する弾性ストッパを係合させることを特徴とする請求項８に記載の通風機能付構造物。
【請求項１０】
前記通風機能付構造物は、通風機能付扉または通風機能付間仕切りとしたことを特徴とする請求項１乃至請求項９の何れか１つに記載の通風機能付構造物。
【発明の詳細な説明】
【技術分野】
【０００１】
本発明は、通常時において、扉及び間仕切りに設けられた開口部を閉鎖しているスライド部材を、開口部とは反対側にスライド移動させることによって、開口部を開放し通風を行う通風機能付扉及び通風機能付間仕切りに使用する通風機能付構造物に関するもので、特に、スライド部材を容易に、かつ、スムーズに重力に反する方向（上方向）へスライド移動させることができる通風機能付扉、通風機能付間仕切り等の通風機能付構造物に関するものである。
【背景技術】
【０００２】
一般に、建物内部の空間を分割し、各部屋の出入口に取り付けられる扉は、遮音・防音機能を持つと同時に、熱や風等の空気をも遮断する機能を持っている。従って、室内環境を良好に保つためには、ときに、扉を開放させて、室内の通気・通風や換気を行う必要がある。特に最近では、省エネ対策の観点から、冷房の使用が制限されることがあり、効率的に室内の通気・通風を行う必要に迫られる機会が多くなってきている。
しかしながら、室内の通気・通風や換気を行うために、部屋と廊下の間に設けられる開き戸式等の扉を開放させておくと、廊下の通行の障害になったり、室内の様子が露わになって部屋の外観や見栄えが損なわれたりする。
【０００３】
そこで、扉を閉鎖させたままで、必要な時だけ通気・通風や換気を行うことができる通風機能付構造物としての通風機能付扉が提供されている。そして、かかる通風機能付扉の例として、特許文献１に記載の開閉窓付扉が挙げられる。この開閉窓付扉は、扉本体の上半分に設けられた開閉窓（開口部）を閉鎖・開放できる開閉扉体（スライド部材）を、扉本体に上下摺動自在に配設している。
【先行技術文献】
【特許文献】
【０００４】
【特許文献１】実公平４−２８３９０号公報
【発明の概要】
【発明が解決しようとする課題】
【０００５】
ところが、特許文献１に記載の開閉窓付扉は、開閉扉体が何れにも支持されていないため、開閉扉体を上に摺動させて開閉窓を閉鎖するのに、開閉扉体の重量と同じ力で開閉扉体を持ち上げなければならず、大きな力を必要とすることがある。即ち、特許文献１の開閉窓付扉は、容易に開閉扉体を上に摺動させることが困難であり、実用的でない。
【０００６】
そこで、本発明は、かかる不具合を解決すべくなされたものであって、扉本体に形成される開口部を容易に閉鎖または開放することができる通風機能付扉等の通風機能付構造物の提供を課題とするものである。
【課題を解決するための手段】
【０００７】
請求項１の発明に係る通風機能付構造物は、表裏に貫通する所定の面積からなる開口部を形成した構造物本体と、前記構造物本体の開口部に配設され、空気の流通を許容し、その表裏を透す視認性を阻害する前記開口部を閉鎖する通気性部材と、前記構造物本体に対し上下方向にスライド自在に配設され、前記開口部に配設した通気性部材の面の開閉を行う通気性のないスライド部材とを具備し、案内溝によって、前記スライド部材のスライド移動を案内し、そして、付勢力付与手段によって、前記スライド部材が前記開口部に配設した通気性部材の面の閉鎖または開放またはその中間位置とするように、前記スライド部材の重力に反する方向の付勢力を付与するものである。
【０００８】
ところで、上記構造物本体とは、本発明においては、建物内部の空間を分割する建具本体を云い、主に、各部屋の出入口に取り付けられる扉本体や、部屋の仕切りとしての機能を持つ間仕切り本体を意味する。また、上記構造物本体には、その表裏を貫通し、室内外の空気の流通を許容する通風用の開口部が形成されるが、本発明を実施する場合には、開口部の大きさや形状は特に問われるものではない。なお、上記構造物本体は、通常、金属、プラスチック、木材等を加工して製造される。
また、上記通気性部材は、室内外の空気の流通を許容しつつ、前記開口部を閉鎖するものだが、後述するスライド部材によって上記通気性部材の面が開放されたときに、室内外の様子が露わにならないように、その表裏、即ち、室内外を透す視認性を阻害するものであればよく、例えば、防虫網やガラリが使用される。
【０００９】
上記スライド部材は、前記開口部側にスライド移動させて前記開口部に配設した通気性部材の面を閉鎖することで、室内外の空気の流通を禁止し、音を遮断すると同時に、前記開口部とは他方向にスライド移動させて前記部開口部に配設した通気性部材の面を開放することで室内外の空気の流通を許容して通風を行うものである。このため、上記スライド部材には通気性のない木製、金属製、プラスチック製、ガラス製等のものが採用されるが、必ずしも前記構造物本体と同じ材質のものを使用する必要はない。また、前記開口部に配設した通気性部材の面の開放状態または閉鎖状態において、上記スライド部材は、前記構造物本体の外観に表れるように前記構造物本体の面上に設けることもできるし、前記構造物本体の外観に表れないように前記構造物本体内に収容することもできる。なお、上記スライド部材には、前記通気性部材の横及び縦の幅と略等しいものまたは若干幅広のものが使用される。
【００１０】
更に、上記付勢力付与手段は、前記スライド部材が前記開口部に配設した通気性部材の面の閉鎖または開放またはその中間位置とするように、前記スライド部材の重力に反する方向の付勢力を付与するものであり、前記スライド部材を持ち上げる力を軽減させることができればよい。例えば、前記スライド部材に対して重量的なバランスを保つバランスウェイトや弾性力を有するスプリング等の弾性体により付勢力を付与することができる。
なお、本発明において、通風機能付構造物とは、主に、各部屋の出入口に設けられる通風機能付扉及び／または各部屋を仕切るための内壁としての通風機能付間仕切り等の建物内部の空間を分割する建具を意味するが、本発明の通風機能付構造物は、建物内部と外部の間に設けられる窓等の建具として使用することも可能である。
【００１１】
請求項２の発明に係る通風機能付構造物は、前記通気性部材は、網戸状または鎧戸状に構成してなるものであるが、本発明を実施する場合には、前記スライド部材によって前記通気性部材の面が開放されたときに、室内外の空気の流通を許容し、その表裏を透す視認性を阻害することができれば、格子戸状や柵状に構成することもできる。
【００１２】
請求項３の発明に係る通風機能付構造物において、前記スライド部材は、前記開口部に配設した通気性部材の両面を同時に閉鎖するように前記構造物本体の両面に設けたものであり、前記開口部に配設した通気性部材の両面の開放状態及び閉鎖状態において、前記スライド部材が前記構造物本体の両面上、即ち、外観に表れるようにしたものであるが、本発明を実施する場合には、前記開口部に配設した通気性部材の両面または片面を閉鎖することができれば、前記スライド部材を前記構造物本体の内部に収容することも可能である。
【００１３】
請求項４の発明に係る通風機能付構造物において、前記スライド部材は、前記開口部に配設した通気性部材の片面を閉鎖するように前記構造物本体の片面に設けたものであり、前記開口部に配設した通気性部材の片面の開放状態及び閉鎖状態において、前記スライド部材が前記構造物本体の片面上、即ち、外観に表れるようにしたものであるが、本発明を実施する場合には、前記開口部に配設した通気性部材の両面または片面を閉鎖することができれば、前記スライド部材を前記構造物本体の内部に収容することも可能である。
【００１４】
請求項５の発明に係る通風機能付構造物において、前記案内溝は、前記構造物本体の縦枠に形成され、断面形状が前記構造物本体の対向側に開口する凹状のものである。
【００１５】
ところで、上記縦枠は、構造物本体自身または構造物本体の気密性を高めるために設けられるサッシによって構成され、上記縦枠がアルミ製の場合には、アルミニウムの押出成型によって、ステンレスまたはスチール製の場合には、鋼板の折曲げ加工等によって、断面形状が前記構造物本体の対向側に開口する凹状の前記案内溝を形成することができる。なお、上記断面形状が前記構造物本体の対向側に開口する凹状には、コ字状やＨ状のものも含まれる。
【００１６】
請求項６の発明に係る通風機能付構造物において、前記付勢力付与手段は、前記構造物本体の左右両側に上下動自在に配設した一対のバランスウェイトとし、その上端から前記スライド部材と前記各バランスウェイトを連結する一対の連結部材と、前記構造物本体の左右上部に固定され、前記各連結部材を架け渡す一対の滑車とからなるものである。即ち、一端を前記スライド部材に接続すると共に、他端に各バランスウェイトを取付けた各連結部材を前記構造物本体の左右上部に固定された各滑車に架け渡し、前記スライド部材に対して重量的なバランスを保つ一対のバランスウェイトの荷重による引張り力によって、前記スライド部材の重力に反する方向の付勢力を付与するものである。
【００１７】
ここで、上記一対のバランスウェイトは、通常、前記スライド部材とほぼ同じ重さの分銅等の錘が使用され、上記連結部材には、ワイヤやチェーン等が用いられる。また、上記各滑車は、前記各バランスウェイトに一端側を取り付けると共に他端側を前記スライド部材に接続した前記各連結部材を架け渡して、前記各連結部材の移動方向を変えることができるものであればよく、通常、定滑車やスプロケット等の歯車が使用される。なお、前記構造物本体の外観の意匠を損なわないようにするため、上記バランスウェイト、連結部材及び滑車とからなる前記付勢力付与手段は、前記構造物本体の外部に露見しないように前記構造物本体内に収容されるのが望ましい。
【００１８】
請求項７の発明に係る通風機能付構造物において、前記付勢力付与手段は、前記構造物本体の上部に水平配置したスプリングとし、その両側から前記スライド部材と前記スプリングを連結する一対の連結部材と、前記構造物本体の左右上部に固定され、前記各連結部材を架け渡す一対の滑車とからなるものである。即ち、一端を前記スライド部材に接続すると共に、他端にスプリングを取付けた各連結部材を前記構造物本体の左右上部に固定された各滑車に架け渡し、スプリングの弾性力（復元力）によって前記スライド部材の重力に反する方向の付勢力を付与するものである。
【００１９】
ところで、上記スプリングには、弾性変形可能な弾性体が使用され、上記連結部材には、ワイヤやチェーン等が用いられる。また、上記各滑車は、前記スプリングに一端側を取り付けると共に他端側を前記スライド部材に接続した前記各連結部材を架け渡して、前記各連結部材の移動方向を変えることができるものであればよく、通常、定滑車やスプロケット等の歯車が使用される。なお、前記構造物本体の外観の意匠を損なわないようにするため、上記スプリング、連結部材及び滑車とからなる前記付勢力付与手段は、前記構造物本体の外部に露見しないように前記構造物本体内に収容されるのが望ましい。
なお、本発明を実施する場合には、前記スライド部材の重力に反する方向の付勢力を付与することができればよく、スプリングの巻取り力を利用した既存のシャッター等で採用されている巻取り機構を応用することもできる。
【００２０】
請求項８の発明に係る通風機能付構造物は、請求項１乃至請求項７の何れか１つに記載の通風機能付構造物において、更に、係止手段によって、前記スライド部材のスライド移動を係止するものであるが、上記係止手段は、前記スライド部材の自重や前記構造物本体の開閉動作等に伴う振動で、自然にスライド部材がスライド移動してしまうのを防止し、前記スライド部材を安定して停止させることができるものであればよく、公知のストッパ等を使用してもよい。
【００２１】
請求項９の発明に係る通風機能付構造物において、前記係止手段は、前記スライド部材に形成された係止孔に、前記構造物本体から前記スライド部材方向に突設する弾性ストッパを係合させることによって、前記スライド部材のスライド移動を係止するものであるが、前記構造物本体の外観の意匠を損なわないようにするため、上記係止手段は、前記構造物本体の外部に露見しないものが好ましい。
【００２２】
請求項１０の発明に係る通風機能付構造物は、請求項１乃至請求項９の何れか１つに記載の通風機能付構造物を通風機能付扉または通風機能付間仕切りとしたものである。
上記通風機能付扉は、蝶番の回動軸を中心に開閉する開き戸や、左右にスライドして開閉する引き戸等が採用され、上記通風機能付間仕切りには、固定型の間仕切り壁等が使用される。なお、上記通風機能付扉または通風機能付間仕切りは、通常、アルミニウム、スチールなどの金属、木材等を加工して製造される。
【発明の効果】
【００２３】
請求項１の発明の通風機能付構造物によれば、表裏に貫通する所定の面積からなる開口部を形成した構造物本体に対し上下方向にスライド自在に配設されたスライド部材は、前記開口部に配設された通気性部材の面の閉鎖または開放またはその中間位置とするように、前記スライド部材の重力に反する方向の付勢力が付与されており、更に、前記構造物本体の縦枠に形成される案内溝に案内されてスライド移動することから、容易に、かつ、スムーズにスライド部材の重力に反する方向にスライド移動することができる。
また、前記開口部に空気の流通を許容し、その表裏を透す視認性を阻害する前記開口部を閉鎖する通気性部材を配設しているため、前記スライド部材によって前記開口部に配設した通気性部材の面が開放されたときに、室内外の様子が露わになるのを防止することができる。
そして、通常時は、通気性のないスライド部材を開口部側にスライド移動させて、開口部に配設した通気性部材の面を閉鎖しておくことで、室内外の空気の流通や音を遮断することができる一方で、スライド部材を開口部とは反対側にスライド移動させ開口部に配設した通気性部材の面を開放することで、通風を行うこともできる。
【００２４】
このようにして、開口部に配設された通気性部材の面を容易に、かつ、スムーズに閉鎖または開放またはその中間位置にすることができる通風機能付構造物となる
【００２５】
請求項２の発明の通風機能付構造物によれば、前記通気性部材は、網戸状または鎧戸状に構成してなるものであるため、請求項１に記載の効果に加えて、スライド部材によって開口部に配設した通気性部材の面が開放されときに、室外からの光を遮断したり、昆虫等の侵入を防止したりすることができる。
【００２６】
請求項３の発明の通風機能付構造物によれば、前記スライド部材は、前記開口部に配設した通気性部材の両面を同時に閉鎖するように前記構造物本体の両面に設けたものであるため、請求項１または請求項２の効果に加えて、室内及び室外のどちらからでもスライド部材をスライド移動させて通気性部材の両面を開閉することができる。
【００２７】
請求項４の発明の通風機能付構造物によれば、前記スライド部材は、前記開口部に配設した通気性部材の片面を閉鎖するように前記構造物本体の片面に設けたものであるため、請求項１または請求項２の効果に加えて、室内側又は室外側からの構造物本体の見栄えをよくすることができる。
【００２８】
請求項５の発明の通風機能付構造物によれば、前記案内溝は、前記構造物本体の縦枠に形成され、断面形状が前記構造物本体の対向側に開口する凹状であるため、請求項１乃至請求項４の何れか１つに記載の効果に加えて、アルミ製の縦枠の場合には、アルミニウムの押出成型によって、ステンレス製又はスチール製の縦枠の場合には、鋼板の折曲げ加工等によって、案内溝を容易に形成することができる。
【００２９】
請求項６の発明の通風機能付構造物によれば、前記付勢力付与手段は、前記構造物本体の左右両側に上下動自在に配設した一対のバランスウェイトとし、その上端から前記スライド部材と前記各バランスウェイトを連結する一対の連結部材と、前記構造物本体の左右上部に固定され、前記各連結部材を架け渡す一対の滑車とからなるものである。
このように、スライド部材は、一対の連結部材にて、構造物本体の左右上部に固定された一対の滑車を介して、スライド部材に対して重量的なバランスを保つ一対のバランスウェイトに接続しており、一対のバランスウェイトの重量による引張り力によって吊り上げられることで、スライド部材の重力に反する方向の付勢力が付与される。
そして、スライド部材と一対のバランスウェイトが荷重的にバランスしている場合には、スライド部材に上記バランスを崩すための少しの力をスライド部材の重力に反する方向に加えるだけで、一対のバランスウェイトの重量によって、スライド部材が重力に反する方向にスライド移動するので、請求項１乃至請求項５の何れか１つに記載の効果に加えて、スライド部材を重力に反する方向にスライド移動させるときの初動力を小さくすることができる。
【００３０】
請求項７の発明の通風機能付構造物によれば、前記付勢力付与手段は、前記構造物本体の上部に水平配置したスプリングとし、その両側から前記スライド部材と前記スプリングを連結する一対の連結部材と、前記構造物本体の左右上部に固定され、前記各連結部材を架け渡す一対の滑車とからからなるものである。
このように、スライド部材は、一対の連結部材にて、構造物本体の左右上部に固定された滑車を介して、スライド部材の重量とバランスを保つ弾性力（復元力）を持ったスプリングに接続しており、スプリングの弾性力（復元力）によってスライド部材が吊り上げられることで、スライド部材の重力に反する方向の付勢力が付与される。
そして、スライド部材の重量とスプリングの弾性力（復元力）がバランスしている場合には、スライド部材に上記バランスを崩すための少しの力をスライド部材の重力に反する方向に加えるだけで、スプリングの弾性力（復元力）によって、スライド部材が重力に反する方向にスライド移動するので、請求項１乃至請求項５の何れか１つに記載の効果に加えて、スライド部材を重力に反する方向にスライド移動させるときの初動力を小さくすることができる。
【００３１】
請求項８の発明の通風機能付構造物によれば、前記スライド部材のスライド移動を係止することができることから、請求項１乃至請求項７の何れか１つに記載の効果に加えて、スライド部材のスライド移動を任意の位置で安定して停止させることができ、スライド部材の自重や構造物本体に何らかの理由で加えられる振動等によって、スライド部材が自然にスライド移動してしまうのを防止することができる。
【００３２】
請求項９の発明の通風機能付構造物によれば、前記スライド部材に形成された係止孔に、前記構造物本体から前記スライド部材方向に突設する弾性ストッパを係合させることで、前記スライド部材のスライド移動を係止することができることから、請求項８に記載の効果に加えて、係止部を目立たない構造とすることができる。
【００３３】
請求項１０の発明の通風機能付構造物は、請求項１乃至請求項９の何れか１つに記載の通風機能付構造物を、通風機能付扉または通風機能付間仕切りとしたものであるから、請求項１乃至請求項９の何れか１つに記載の効果に加えて、既存の建物内の任意の位置に取付けることができ、効率的に室内の通気・通風や換気を行うことが可能になる。
【図面の簡単な説明】
【００３４】
【図１】図１は本発明の実施の形態１に係る通風機能付構造物としての通風機能付扉の全体斜視図である。
【図２】図２（ａ）は本発明の実施の形態１に係る通風機能付構造物としての通風機能付扉の開口部に配設した通気性部材を完全に開放させた状態の正面図である。図２（ｂ）は本発明の実施の形態１に係る通風機能付構造物としての通風機能付扉の開口部に配設した通気性部材を閉鎖させた状態の正面図である。
【図３】図３（ａ）は本発明の実施の形態１に係る通風機能付構造物としての通風機能付扉の図２（ａ）のＩ−Ｉ縦断面図である。図３（ｂ）は本発明の実施の形態１に係る通風機能付構造物としての通風機能付扉の図２（ｂ）のＩ’−Ｉ’縦断面図である。
【図４】図４（ａ）は本発明の実施の形態１に係る通風機能付構造物としての通風機能付扉の図２（ａ）のII-II横断面図である。図４（ｂ）は本発明の実施の形態１に係る通風機能付構造物としての通風機能扉の図２（ｂ）のII’−II’横断面図である。
【図５】図５は本発明の実施の形態１に係る通風機能付構造物のスライド部材の重力に反する方向の付勢力を付与する付勢力付与手段を説明するための要部拡大斜視図である。
【図６】図６は本発明の実施の形態１に係る通風機能付構造物のスライド部材のスライド移動を係止する係止手段を説明するための要部断面図である。
【図７】図７は本発明の実施の形態２に係る通風機能付構造物としての通風機能付間仕切りを説明するための全体斜視図である。
【発明を実施するための形態】
【００３５】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００３６】
［実施の形態１］
まず、本発明の実施の形態１に係る通風機能付構造物について、図１乃至図６を参照して説明する。本発明の実施の形態１は、本発明の通風機能付構造物を通風機能付扉に適用した場合を例示するものである。
【００３７】
図１に示すように、本実施の形態１に係る通風機能付構造物としての通風機能付扉は、表裏に貫通する所定の面積からなる開口部Ａを形成した構造物本体としての扉本体１と、扉本体１の開口部Ａに配設され、空気の流通を許容し、開口部Ａの表裏を透す視認性を阻害する開口部Ａを閉鎖する通気性部材としてのガラリ６Ａと、扉本体１に対し上下方向にスライド自在に配設され、開口部Ａに配設したガラリ６Ａの両面の開閉を行う通気性のないスライド部材１０を有している。
そして、本実施の形態１の扉本体１を構成する縦枠４には、スライド部材１０のスライド移動を案内する案内溝２０が形成されている。
更に、本実施の形態１のスライド部材１０が、開口部Ａの両面の閉鎖を行うように、スライド部材１０の重力に反する方向の付勢力を付与する一対のバランスウェイト３０、各バランスウェイト３０とスライド部材１０を連結する連結部材としての一対のワイヤ３１及び各ワイヤ３１を架け渡す一対の滑車３２からなる付勢力付与手段を有している。
【００３８】
本実施の形態１の通風機能付扉は、部屋の出入り口に設けられ、図示しない蝶番を介して、扉枠１ａに開閉自在に取付けられる開き戸式のものである。図１乃至図４に示すように、扉本体１は、上枠２、下枠３、左右の縦枠４、並びに、下枠３及び左右の縦枠４の内側に組み付けられたパネル５によって一体的に構成されており、上枠２、左右の縦枠４及びパネル５によって囲まれた空間に通風用の開口部Ａを形成している。開口部Ａ内は、複数のガラリ羽根を上下方向に定間隔に配置した鎧戸状のガラリ６Ａによって閉鎖されており、このガラリ６Ａにて開口部Ａの表裏を透す視認性を阻害している。
また、この扉本体１の左右の縦枠４には、ガラリ６Ａの面の開閉を行うスライド部材１０のスライド移動を案内する案内溝２０が上下方向に形成されており、この案内溝２０にスライド部材１０の左右側面部がスライド自在に嵌合している。
【００３９】
スライド部材１０は、図５に示すように、その上部及び下部が開放された箱形状をしており、幅方向に長い表裏の対向する一対の平行面１０ａにて、ガラリ６Ａの両面を同時に閉鎖またはパネル５の両面を同時に被覆するように、扉本体１の両面にスライド自在に配設されている。また、このスライド部材１０の一対の平行面１０ａは、ガラリ６Ａの縦幅及び横幅と若干大きく形成されていて、開口部Ａ側にスライド移動したとき、ガラリ６Ａの両面、且つ、全面を被覆して室内外の空気の流通や音を遮断するようになっている。そして、スライド部材１０の左右側面部は、上述の如く、扉本体１の左右の縦枠４内に形成された案内溝２０にスライド自在に嵌合している。
【００４０】
案内溝２０は、スライド部材１０をスライド移動する方向（上下方向）に案内するものであり、図３に示すように、扉本体１を構成している左右の縦枠４内の上下方向に形成されている。また、この案内溝２０は、図４（ａ）に示すように、扉本体１の対向側に開口する凹状の断面形状を有している。このため、例えば、扉本体１の左右の縦枠４に気密性を高めるためのアルミサッシ等を設け、アルミニウム等の押出成型によって係るサッシに案内溝２０を形成することも可能である。
【００４１】
そして、本実施の形態１においては、図２（ｂ）及び図３（ｂ）に示すように、スライド部材１０が案内溝２０に沿って上にスライド移動し、上枠２に当接したとき、ガラリ６Ａの両面、かつ、全面が閉鎖され、逆に、図２（ａ）及び図３（ａ）に示すように、スライド部材１０が案内溝２０に沿って下にスライド移動し、下枠３に当接したとき、ガラリ６Ａの両面、かつ、全面が開放されるようになっている。
【００４２】
従って、本実施の形態１の通風機能付扉は、通常時は、図２（ｂ）に示すように、ガラリ６Ａの両面をスライド部材１０によって閉鎖しておくことで、室内外の空気の流通や音を遮断する一方で、図２（ａ）に示すように、スライド部材１０を下にスライド移動させガラリ６Ａの両面を開放することで、扉本体１を閉鎖したまま空気の流通を許容し、通風を行う。
【００４３】
また、本実施の形態１のスライド部材１０は、図１乃至図４に示したように、ガラリ６Ａの両面を同時に閉鎖するように扉本体１の両面に設けられていることから、室内及び室外のどちらからでもガラリ６Ａの両面の閉鎖または開放が行われる。なお、本発明を実施する場合には、ガラリ６Ａの片面を閉鎖するように扉本体１の片面（室外側または室内側）にスライド部材１０を設けることもできる。これによって、室内または室外にスライド部材１０が露わにならず、室内または室外からの扉本体１の見栄えを良くすることができる。
【００４４】
更に、本実施の形態１の通風機能付扉は、図２（ａ）に示したように、スライド部材１０を下にスライド移動させても、ガラリ６Ａによって、開口部Ａの表裏を透す視認性が阻害されるため、室内外の様子が露わになることはない。加えて、このガラリ６Ａは鎧戸状をしているため、室外からの光は遮られる。なお、本発明を実施する場合には、通気性部材は、空気の流通を許容し、開口部Ａの表裏を透す視認性を阻害することができれば、本実施の形態１のガラリ６Ａに限定されるものではなく、例えば、防虫網や小孔を多数形成したパンチングメタル等を使用することもできる。
【００４５】
ここで、図１及び図２に示すように、スライド部材１０の左上端部及び右上端部は、それぞれ、一対の各ワイヤ３１の一端に接続しており、このワイヤ３１の他端は、扉本体１の上部に固定された一対の各滑車３２に架け渡してから一対の各バランスウェイト３０に連結している。即ち、スライド部材１０の左上端部及び右上端部のそれぞれに、一対の各バランスウェイト３０を一端に取り付けた一対の各ワイヤ３１の他端が、扉本体１の上部に固定された一対の各滑車３２に架け渡してから接続している。
【００４６】
このバランスウェイト３０は、スライド部材１０に対して重量的なバランスを保つものであり、本実施の形態１においては、二つのバランスウェイト３０を用いてスライド部材１０のバランスをとるようになっているため、各バランスウェイト３０はスライド部材１０の約半分の重さに調整されている。そして、上述の如く、各バランスウェイト３０は、その上端で、他端をスライド部材１０の上端に接続した各ワイヤ３１の一端に連結しており、扉本体１の左右の縦枠４内に形成された縦長中空状の図４のバランスウェイト案内溝３０ａに沿って上下動自在となっている。即ち、一対のバランスウェイト３０は、それぞれ、扉本体１の左右両側に上下動自在に配設され、その上端から各ワイヤ３１に連結している。
【００４７】
また、各ワイヤ３１は、各バランスウェイト３０とスライド部材１０を連結するものであり、一端側を各バランスウェイト３０に固着すると共に、他端側を図５の取付金具３１ａ介してスライド部材１０の上端に接続している。なお、本実施の形態１において、各バランスウェイト３０とスライド部材１０を連結した各ワイヤ３１は、扉本体１の上部に固定されている各滑車３２に架け渡されることによって張架された状態になるため、ワイヤ３１には伸びが生じにくく、丈夫で切れにくいもの、例えば、ステンレスワイヤ等を使用するのが好ましい。
【００４８】
そして、各滑車３２は、各ワイヤ３１の移動方向を変えるものであり、定滑車から構成されている。本実施の形態１においては、各滑車３２は、それぞれ、図示しない支軸を介し扉本体１の左右上部に回転自在に固定されており、その外周には、上記各ワイヤ３１が架け渡されている。なお、ワイヤ３１との間に生じる摩擦を小さくして、スライド部材１０をより容易にスライド移動させることができるように、ワイヤ３１と滑車３２との間に潤滑剤等を塗ってもよい。
【００４９】
このように、本実施の形態１の通風機能付扉は、一端側を各バランスウェイト３０に連結すると共に、他端側をスライド部材１０の上端に接続した各ワイヤ３１が、扉本体１の上部に固定された各滑車３２に架け渡されている。
そして、本実施の形態１通風機能付扉は、図２（ａ）に示すように、スライド部材１０がガラリ６Ａの両面を完全に開放している状態において、スライド部材１０と一対のバランスウェイト３０との重量をバランスさせている。
【００５０】
即ち、本実施の形態１においては、図２（ａ）に示すように、ガラリ６Ａの両面が完全に開放されているとき、一対のバランスウェイト３０とスライド部材１０が荷重的にバランスした状態で一対の滑車３２に吊り下げられている。
このため、ガラリ６Ａの両面を完全に開放させた状態のスライド部材１０を上昇させるために要する力（初動力）は、このバランスを崩すことができれば十分であり、小さな力で達成される。
【００５１】
そして、本実施の形態１においては、ガラリ６Ａの両面を完全に開放させた状態のスライド部材１０に、上記バランスを崩すための上方向のわずかな力（初動力）をスライド移動の開始時に加えれば、一対のバランスウェイト３０が下降すると同時に、一対のバランスウェイト３０の重量による引張り力によってスライド部材１０が吊り上げられるため、ガラリ６Ａの両面を完全に開放している状態のスライド部材１０を上にスライド移動させてガラリ６Ａの両面を閉鎖する際に要する力は、極めて小さくて済む。
なお、上述の如く、スライド部材１０は、その左右両側で各バランスウェイト３０に接続しているため、左右のバランスを保ったまま水平にスライド移動する。
【００５２】
このように、本実施の形態１の通風機能付扉は、一対のバランスウェイト３０の重量による引張り力によって、スライド部材１０に重力に反する方向の付勢力が付与されているため、スライド部材１０を持ち上げる力が軽減される。更に、上述の如く、本実施の形態１のスライド部材１０は、案内溝２０に案内されて移動するため、がたつくことなく上下にスライド移動する。従って、本実施の形態１のスライド部材１０は、容易に、かつ、スムーズに重力に反する方向にスライド移動して、開口部Ａに配設したガラリ６Ａの両面を完全に閉鎖する。
また、本実施の形態１の通風機能付扉は、ガラリ６Ａが完全に開放されているときに、スライド部材１０と一対のバランスウェイト３０が荷重的にバランス状態にあるため、ガラリ６Ａを完全に開放している状態のスライド部材１０を重力に反する方向にスライド移動させるときの初動力は小さくて済む。
このため、本実施の形態１の通風機能付扉は、ガラリ６Ａを完全に開放させた状態のスライド部材１０を持ち上げるようにしなくても、スライド部材１０に直接手を当てて上に押すだけで、容易にスライド部材１０が上にスライド移動する。故に、本実施の形態１において、スライド部材１０を持ち上げて上に移動させるための取手を設ける必要はない。なお、本実施の形態１においては、スライド部材１０を下にスライド移動させるための取手１０ｂをスライド部材１０の表裏の対向する一対の面１０ａの下部に設けており、この取手１０ｂを持って下に押せば、スライド部材１０自体の重さで比較的容易にスライド部材１０を下にスライド移動させることができる。
【００５３】
また、本実施の形態１において、図２（ｂ）及び３（ｂ）に示したように、スライド部材１０は、扉本体１の上枠２と接触したとき、その移動が停止する。そして、このとき、バランスウェイト３０とスライド部材１０との上記バランスがバランスウェイト３０側に傾いている。即ち、ガラリ６Ａを閉鎖しているスライド部材１０は、バランスウェイト３０の荷重によって吊り上げられた状態で停止している。従って、ガラリ６Ａの両面を閉鎖しているスライド部材１０が、扉本体１の開閉動作に伴う振動等で自然に下降してくることはなく、スライド部材１０によるガラリ６Ａの閉鎖状態は維持される。
なお、本実施の形態１においては、図３に示したように、上枠２及び下枠３へのスライド部材１０の接触による衝撃を緩和させるために、ゴム２ａが上枠２に、ゴム３ａが下枠３に取付られている。
【００５４】
更に、本実施の形態１において、図１及び図２に示したように、スライド部材１０の重力に反する方向の付勢力を付与する一対のバランスウェイト３０、ワイヤ３１及び滑車３２からなる付勢力付与手段は、扉本体１内に内蔵されているため、扉本体１の外観の意匠が損なわれることはない。
加えて、本実施の形態１の通風機能付扉は、スライド部材１０に対して重量的なバランスを保つ一対のバランスウェイト３０によって、スライド部材１０の重力に反する方向の付勢力を付与しているため、耐久性に優れている。
なお、本発明を実施する場合には、スライド部材１０に重力に反する方向の付勢力を付与し、容易にスライド部材１０を重力に反する方向に移動させることができればよく、ガラリ６Ａの完全開放状態において、上記バランスを一対のバランスウェイト３０側に傾かせるようにしてもよいし、逆に、一対のバランスウェイト３０の重量による引張り力に抗してスライド部材１０がガラリ６Ａを完全に開放するようにしてもよい。
【００５５】
このように、本実施の形態１の通風機能付扉において、付勢力付与手段は、スライド部材１０がガラリ６Ａの両面の閉鎖を行うように、スライド部材１０の重力に反する方向の付勢力を付与する構成を意味する。そして、本実施の形態１において、具体的には、扉本体１の左右両側に上下動自在に配設した一対のバランスウェイト３０とし、その上端からスライド部材１０と各バランスウェイト３０を連結する一対のワイヤ３１と、扉本体１の左右上部に固定され、各ワイヤ３１を架け渡す一対の滑車３２とから構成されている。
【００５６】
ここで、本実施の形態１の通風機能付扉は、更に、スライド部材１０のスライド移動を係止する係止手段としてのスライド部材１０に形成された係止孔４０と、その係止孔４０に係合させることでスライド部材１０のスライド移動を禁止する弾接ストッパ４１を有している。
【００５７】
本実施の形態１において、係止孔４０は、図５に示すように、スライド部材１０の左右側面部の下部にそれぞれ形成されている。また、弾接ストッパ４１は、扉本体１の左右の縦枠４内の下部にそれぞれ配設しており、図６に示すように、左右の縦枠４内に形成された案内溝２０の底部２０ａからスライド部材１０の方向に突き出すように設けられ、さらに、ばね４１ａによる弾性力を有している。
本実施の形態１においては、スライド部材１０をパネル５側に移動させ、ガラリ６Ａの両面、かつ、全面を開放させたときに、この弾接ストッパ４１が上記係止孔４０に嵌合するようになっている。そして、この係止孔４０に嵌合する弾接ストッパ４１の弾性力に抗してスライド部材１０を移動させる力が、スライド部材１０に加えられない限り、弾接ストッパ４１の係止孔４０への嵌合状態が維持され、スライド部材１０のスライド移動が禁止されるようになっている。
【００５８】
従って、本実施の形態１において、スライド部材１０がパネル５側に位置し、ガラリ６Ａの両面、かつ、全面を開放させている状態、即ち、スライド部材１０とバランスウェイト３０がバランス状態にあるとき、スライド部材１０の左右側面部の下部に形成された各係止孔４０が、扉本体１の左右の縦枠４内の下部に設けられた各弾接ストッパ４１に嵌合して、スライド部材１０の移動が禁止される。
このため、本実施の形態１の通風機能付扉によれば、扉本体１の開閉動作に伴う振動等で上記バランス状態が崩れて、自然にスライド部材１０が上にスライド移動してしまうことはない。即ち、本実施の形態１の通風機能付扉において、ガラリ６Ａの両面、かつ、全面を開放しているスライド部材１０は、安定した状態で停止している。
なお、本実施の形態１においては、弾接ストッパ４１が縦枠４内の下部に形成されていているため、弾接ストッパ４１とスライド部材１０との接触摩擦によってスライド部材１０が磨り減ることは少ない。また、本実施の形態１において、図６に示すように、係止孔４０は、扉本体１に形成された案内溝２０に嵌合させるスライド部材１０の左右側面部に形成され、案内溝２０の底部２０ａからスライド部材１０方向に突設する弾接ストッパ４１と共に、扉本体１の外観に現れないようになっているため、扉本体１の外観の意匠が損なわれることはない。
【００５９】
なお、本発明を実施する場合には、スライド部材１０を任意の位置で停止させることができるように、係止孔４０及びそれに対応する弾接ストッパ４１を扉本体１及びスライド部材１０の任意の位置に設けてもよい。これによって、スライド部材１０に重力に反する方向の付勢力が付与されていても、スライド部材１０によるスライド部材１０の面の開閉度合いを調節することが可能になる。
【００６０】
故に、本実施の形態１の通風機能付扉において、係止手段は、スライド部材１０のスライド移動を係止する構成を意味する。そして、本実施の形態１において、具体的には、スライド部材１０の側面部に形成された係止孔４０に、扉本体１の縦枠４からスライド部材１０方向に突設する弾接ストッパ４１を係合させる構成を意味する。
勿論、本発明を実施する場合には、スライド部材１０を係止する手段は本発明の実施の形態１に限定されるものではなく、例えば、案内溝２０を塞ぐストッパ等を用いることで、スライド部材１０のスライド移動を係止させることもできる。
【００６１】
このように、本実施の形態１の通風機能付扉は、表裏に貫通する所定の面積からなる開口部Ａを形成した構造物本体としての扉本体１と、扉本体１の開口部Ａに配設され、空気の流通を許容し、その表裏を透す視認性を阻害する開口部Ａを閉鎖する通気性部材としてのガラリ６Ａと、扉本体１に対し上下方向にスライド自在に配設され、開口部Ａに配設したガラリ６Ａの両面の開閉を行う通気性のないスライド部材１０と、扉本体１の縦枠４に形成され、スライド部材１０のスライド移動を案内する案内溝２０と、スライド部材１０が開口部Ａに配設したガラリ６Ａの両面の閉鎖を行うように、スライド部材１０の重力に反する方向の付勢力を付与する一対のバランスウェイト３０、ワイヤ３１及び滑車３２からなる付勢力付与手段を具備するものである。
【００６２】
そして、本実施の形態１の通風機能付扉は、ガラリ６Ａの両面の開閉を行う通気性のないスライド部材１０が、一対のワイヤ３１にて、扉本体１の左右上部に固定された一対の滑車３２を介して、スライド部材１０の重量的なバランスを保つ一対のバランスウェイト３０に接続しており、一対のバランスウェイト３０の重量による引張り力によってスライド部材１０の重力に反する方向の付勢力が付与されている。更に、スライド部材１０は、案内溝２０に案内されて移動する。従って、本実施の形態１の通風機能付扉によれば、スライド部材１０を容易に、且つ、スムーズに重力に反する方向にスライド移動させることができる。
また、本実施の形態１の通風機能付扉によれば、ガラリ６Ａの両面を完全に開放しているとき、スライド部材１０と一対のバランスウェイト３０が荷重的にバランスした状態にあるため、ガラリ６Ａの両面を完全に開放させている状態のスライド部材１０に、上記バランスを崩すための少しの力（初動力）を上方向に加えるだけで、スライド部材１０が上にスライド移動する。故に、ガラリ６Ａの両面を完全に開放させている状態のスライド部材１０を重力に反する方向にスライド移動させるときの初動力を小さくすることができる。
更に、本実施の形態１の通風機能付扉は、空気の流通を許容し、その表裏を透す視認性を阻害する開口部Ａを閉鎖する通気性部材としてのガラリ６Ａを開口部Ａに配設していることから、スライド部材１０を下にスライド移動させたときに室内外の様子が露わになることはない。加えて、ガラリ６Ａは鎧戸状に構成してなるため、ガラリ６Ａの両面が開放されても、室外の光を遮ることができる。
そして、通常時は、ガラリ６Ａの両面をスライド部材１０によって閉鎖しておくことで、室内外の空気の流通や音を遮断することができる一方で、スライド部材１０を下にスライド移動させガラリ６Ａの両面を開放することで、扉本体１を閉鎖したまま通風を行うことができる。
このようにして、容易に、かつ、スムーズに開口部Ａに配設されたガラリ６Ａの両面を閉鎖することができる通風機能付扉となる。
【００６３】
また、本実施の形態１の通風機能付扉によれば、スライド部材１０は、ガラリ６Ａの両面の両面を同時に閉鎖するように扉本体１の両面に設けたことから、室内及び室外のどちらからでもスライド部材１０をスライド移動させガラリ６Ａの両面を開閉させることができ、使い勝手がよい。
【００６４】
更に、本実施の形態１の通風機能付扉は、スライド部材１０のスライド移動を係止する係止孔４０及び弾性ストッパ４１からなる係止手段を具備するものである。そして、本実施の形態１の通風機能付扉によれば、スライド部材１０に形成された係止孔４０に、扉本体１からスライド部材１０方向に突設する弾性ストッパ４１を係合させることによって、スライド部材１０のスライド移動を係止しているため、スライド部材１０を安定した状態で停止することができ、扉本体１の開閉動作に伴う揺動等によって、スライド部材１０が自然にスライド移動してしまうのを防止することができる。加えて、係止部を目立たない構造とすることもできる。
【００６５】
本実施の形態１の通風機能付扉は、通常は、木製、ステンレススチール製、アルミニウム製、鋼製のものが使用されるが、これらに限定されるものではなく、所定の加工性を有する材料なら、合成樹脂等を使用してもよい。また、本実施の形態１の通風機能付扉全体が重くならないように、スライド部材１０のみアルミ板等を用いるなどして軽量化を図ることもできる。
なお、本実施の形態１の通風機能付扉は、一つのスライド部材１０によって一つの開口部Ａの開閉を行うシングルハング式のため、全体的に薄圧状に形成することができ、実用的である。
【００６６】
［実施の形態２］
次に、本発明の実施の形態２に係る通風機能付構造物について、図７を参照して説明する。本発明の実施の形態２は、本発明の通風機能付構造物を通風機能付間仕切りに適用した場合を例示するものである。
なお、本発明の実施の形態２において、実施の形態１との相違点は、開口部Ａを間仕切り本体５０の下部に形成して、開口部Ａに防虫網６Ｂを配設した点と、スライド部材１０の重力とは反対方向の付勢力を付与する手段として、コイルばね３３からなるスプリングを用いた点にある。その他の構成は、実施の形態１と同じであるから、その説明を省略する。
【００６７】
図７に示すように、本実施の形態２に係る通風機能付構造物としての通風機能付間仕切りは、開口部Ａを形成した構造物本体としての間仕切り本体５０と、間仕切り本体５０の開口部Ａに配設され、空気の流通を許容し、開口部Ａの表裏を透す視認性を阻害する開口部Ａを閉鎖する通気性部材としての防虫網６Ｂと、扉本体１に対し上下方向にスライド自在に配設され、開口部Ａに配設した防虫網６Ｂの両面の開閉を行う通気性のないスライド部材１０を有している。
そして、本実施の形態２の間仕切り本体５０を構成する縦枠４には、スライド部材１０のスライド移動を案内する案内溝２０が形成されている
更に、本実施の形態２のスライド部材１０が、開口部Ａの両面の開放を行うように、スライド部材１０の重力に反する方向の付勢力を付与するスプリングとしての一対のコイルばね３３、各コイルばね３３とスライド部材１０を連結する連結部材としての一対のワイヤ３１及び各ワイヤ３１を架け渡す一対の滑車３２からなる付勢力付与手段を有している。
【００６８】
本実施の形態２の通風機能付間仕切りは、オフィス等の建物内部の空間を分割し、部屋の仕切りとして使用される固定型の間仕切り壁である。図７に示すように、間仕切り本体５０は、上枠２、下枠３、左右の縦枠４、並びに、上枠３及び左右の縦枠４の内側に組み付けられた図示しないパネルによって一体的に構成されており、下枠３、左右の縦枠４及び図示しないパネルによって囲まれた空間に通風用の開口部Ａを形成している。開口部Ａ内は、網戸状の防虫網６Ｂによって閉鎖されており、この防虫網６Ｂにて開口部Ａの表裏を透す視認性を阻害している。なお、間仕切り本体５０は、例えば、アルミニウムの押出形材からなる上枠２、下枠３、左右の縦枠４を方形に組み、その区画内にアルミ製の図示しないパネルを装着して構成することができるが、本発明を実施する場合には、これに限定されるものではなく、木製やスチール製のものを使用することもできるし、合成樹脂で形成することもできる。
また、実施の形態１と同様に、この間仕切り本体５０の左右の縦枠４には、防虫網６Ｂの面の開閉を行うスライド部材１０のスライド移動を案内する案内溝２０が上下方向に形成されている。そして、この案内溝２０にスライド部材１０の左右側面部がスライド自在に嵌合している。
【００６９】
そして、本実施の形態２の通風機能付間仕切りにおいては、図７に示すように、スライド部材１０が案内溝２０に沿って上にスライド移動し、上枠２に当接したとき、開口部Ａに配設した防虫網６Ｂの両面、かつ、全面が開放され、逆に、スライド部材１０が案内溝２０に沿って下にスライド移動し、下枠３に当接したとき、開口部Ａに配設した防虫網６Ｂの両面、かつ、全面が閉鎖されるようになっている。
【００７０】
従って、本実施の形態２の通風機能付間仕切りは、通常時は、防虫網６Ｂの両面をスライド部材１０によって閉鎖しておくことで、室内外の空気の流通や音を遮断する一方で、図７に示すように、スライド部材１０を上にスライド移動させ防虫網６Ｂの両面を開放することで、空気の流通を許容し、通風を行う。
また、本実施の形態２の通風機能付間仕切は、スライド部材１０を上にスライド移動させても、防虫網６Ｂによって、開口部Ａの表裏を透す視認性が阻害されるため、室内外の様子が露わになることはない。加えて、この防虫網６Ｂは網戸状に構成してなるため、虫等の侵入を防止する。なお、本発明を実施する場合には、通気性部材は、空気の流通を許容し、開口部Ａの表裏を透す視認性を阻害することができれば、本実施の形態２の防虫網６Ｂに限定されるものではなく、例えば、柵状のものを使用することもできる。
【００７１】
ここで、図７に示すように、スライド部材１０の左上端部及び右上端部は、それぞれ、一対の各ワイヤ３１の一端に接続しており、このワイヤ３１の他端は、間仕切り本体５０の上部に固定された一対の各滑車３２に架け渡してから一対の各コイルばね３３に連結している。即ち、スライド部材１０の左上端部及び右上端部のそれぞれに、一対の各コイルばね３３を一端に取り付けた一対の各ワイヤ３１の他端が、間仕切り本体５０の上部に固定された一対の各滑車３２に架け渡してから接続している。そして、間仕切り本体５０の上部で各コイルばね３３が互いに連結している。
【００７２】
スプリングとしてのコイルばね３３は、スライド部材１０の重量に対して弾性的なバランスを保つものであり、本実施の形態２においては、一対のコイルばね３３の弾性力でスライド部材１０の重量とのバランスをとるようになっているため、各コイルばね３３は、スライド部材１０の約半分の重量とバランスをとれるだけの弾性力を持った弾性変形自在な材料で構成されている。そして、上述の如く、各コイルばね３３の一端は、他端をスライド部材１０の上端に接続した各ワイヤ３１に取り付けられており、各コイルばね３３は、互いに、間仕切り本体５０の上部で連結している。即ち、一対のコイルばね３３は、間仕切り本体５０の上部に水平配置され、その両側から各ワイヤ３１に連結している。なお、本発明を実施する場合には、スライド部材１０の重力に反する方向の付勢力を付与することができれば、スプリングの代わりに弾性変形可能なゴム材や鋼板を使用することもできる。
【００７３】
このように、本実施の形態２の通風機能付間仕切りは、一端側を各コイルばね３３に連結すると共に、他端側をスライド部材１０の上端に接続した各ワイヤ３１が、間仕切り本体５０の上部に固定された各滑車３２に架け渡され、さらに、各コイルばね３３が、間仕切り本体５０の上部で連結している。
そして、本実施の形態２の通風機能付間仕切りは、スライド部材１０が防虫網６Ｂの両面を閉鎖している状態において、スライド部材１０の重量と一対のバランスウェイト３０との弾性力（復元力）をバランスさせている。
【００７４】
即ち、本実施の形態２においては、防虫網６Ｂの両面が閉鎖されているとき、スライド部材１０の重量とコイルばね３３の弾性力（復元力）がバランスした状態にあり、スライド部材１０が一対の滑車３２に吊り下げられている。
このため、防虫網６Ｂの両面を閉鎖させた状態のスライド部材１０を上昇させるために要する力（初動力）は、このバランスを崩すことができれば十分であり、小さな力で達成される。
【００７５】
そして、本実施の形態２においては、防虫網６Ｂの両面を閉鎖させた状態のスライド部材１０に、上記バランスを崩すための上方向のわずかな力（初動力）をスライド移動の開始時に加えれば、一対のコイルばね３３の弾性力（復元力）によってスライド部材１０が引っ張られて吊り上げられるため、防虫網６Ｂの両面を閉鎖している状態のスライド部材１０を上にスライド移動させて防虫網６Ｂの両面を完全に開放する際に要する力は、極めて小さくて済む。
なお、上述の如く、スライド部材１０は、その左右両側で各コイルばね３３に接続しているため、スライド部材１０は、左右のバランスを保ったまま水平にスライド移動する
【００７６】
このように、本実施の形態２の通風機能付間仕切りは、一対のコイルばね３３の弾性力（復元力）によって、スライド部材１０の重力に反する方向の付勢力が付与されているため、スライド部材１０を持ち上げる力が軽減される。更に、本実施の形態１と同じく、スライド部材１０は、案内溝２０に案内されて移動するため、がたつくことなく上下にスライド移動する。従って、本実施の形態２のスライド部材１０は、容易に、かつ、スムーズに重力に反する方向にスライド移動して、防虫網６Ｂの両面を完全に開放する。
また、本実施の形態２の通風機能付間仕切りは、防虫網６Ｂを閉鎖している状態おいて、スライド部材１０の重量と一対のコイルばね３３の弾性力（復元力）がバランスしているので、防虫網６Ｂを閉鎖している状態のスライド部材１０を重力に反する方向にスライド移動させるときの初動力は小さくて済む。
このため、本実施の形態２の通風機能付間仕切りは、防虫網６Ｂを閉鎖させた状態のスライド部材１０を持ち上げるようにしなくても、スライド部材１０に直接手を当てて上に押すだけで、容易にスライド部材１０が上にスライド移動する。故に、本実施の形態２においても、スライド部材１０を持ち上げて上に移動させるための取手を設ける必要はない。
【００７７】
そして、本実施の形態２においても、スライド部材１０は、間仕切り本体５０の上枠２と接触したとき、その移動が停止する。そして、このとき、スライド部材１０と一対のコイルばね３３との上記バランスが一対のコイルばね３３側に傾いている。即ち、防虫網６Ｂの両面を完全に開放しているスライド部材１０は、一対のコイルばね３３の弾性力（復元力）によって吊り上げられた状態で停止している。従って、防虫網６Ｂの両面を開放しているスライド部材１０が、その自重等によって自然に下にスライド移動することはなく、スライド部材１０による防虫網６Ｂの完全開放状態は維持される。
【００７８】
更に、本実施の形態２においても、図７に示したように、スライド部材１０の重力に反する方向の付勢力を付与する一対のコイルばね３３、ワイヤ３１及び滑車３２からなる付勢力付与手段は間仕切り本体５０内に収容されているため、間仕切り本体５０の外観の意匠が損なわれることはない。
なお、本発明を実施する場合にも、スライド部材１０の重力に反する方向の付勢力を付与し、容易にスライド部材１０を重力に反する方向に移動させることができればよく、防虫網６Ｂの閉鎖状態において、上記バランスを一対のコイルばね３３側に傾かせてもよいし、逆に、一対のコイルばね３３の弾性力に抗してスライド部材１０が防虫網６Ｂを閉鎖するようにしてもよい。
【００７９】
このように、本実施の形態２の通風機能付間仕切りにおいて、付勢力付与手段は、スライド部材１０が防虫網６Ｂの両面の開放を行うように、スライド部材１０の重力に反する方向の付勢力を付与する構成を意味する。そして、本実施の形態２において、具体的には、間仕切り本体５０の上部に水平配置したスプリングとしての一対のコイルばね３３とし、その両側からスライド部材１０と各コイルばね３３を連結する一対のワイヤ３１と、扉本体１の左右上部に固定され、各ワイヤ３１を架け渡す一対の滑車３２から構成されている。
【００８０】
そして、本実施の形態２の通風機能付間仕切りも、表裏に貫通する所定の面積からなる開口部Ａを形成した構造物本体としての間仕切り本体５０と、間仕切り本体５０の開口部Ａに配設され、空気の流通を許容し、その表裏を透す視認性を阻害する開口部Ａを閉鎖する通気性部材としての防虫網６Ｂと、間仕切り本体５０に対し上下方向にスライド自在に配設され、開口部Ａに配設した防虫網６Ｂの両面の開閉を行う通気性のないスライド部材１０と、扉本体１の縦枠４に形成され、スライド部材１０のスライド移動を案内する案内溝２０と、スライド部材１０が開口部Ａに配設した防虫網６Ｂの両面の開放を行うように、スライド部材１０の重力に反する方向の付勢力を付与するスプリングとしての一対のコイルばね３３、ワイヤ３１及び滑車３２からなる付勢力付与手段を具備するものである。
【００８１】
また、本実施の形態２の通風機能付間仕切りは、防虫網６Ｂの両面の開閉を行う通気性のないスライド部材１０が、一対のワイヤ３１にて、間仕切り本体５０の左右上部に固定された一対の滑車３２を介して、スライド部材１０の重量と弾性的なバランスを保つ一対のコイルばね３３に接続しており、一対のコイルばね３３の弾性力（復元力）によって、スライド部材１０の重力に反する方向の付勢力が付与されている。更に、このスライド部材１０は、案内溝２０に案内されて移動する。従って、本実施の形態２の通風機能付間仕切りによれば、スライド部材１０を容易に、且つ、スムーズに重力に反する方向にスライド移動させ、開口部Ａに配設された防虫網６Ｂの両面を開放することができる。
また、本実施の形態２の通風機能付間仕切りによれば、防虫網６Ｂの両面を閉鎖しているときに、スライド部材１０の重量と一対のコイルばね３３の弾性力（復元力）がバランス状態にあるので、防虫網６Ｂの両面を閉鎖している状態のスライド部材１０に、上記バランスを崩すための少しの力（初動力）を上方向に加えるだけで、スライド部材１０が上にスライド移動する。故に、防虫網６Ｂを閉鎖している状態のスライド部材１０を重力に反する方向にスライド移動させるときの初動力を小さくすることができる。
更に、本実施の形態２の通風機能付間仕切りは、空気の流通を許容し、その表裏を透す視認性を阻害する通気性部材としての防虫網６Ｂを開口部Ａに配設していることから、スライド部材１０を上にスライド移動させたときに、室内外の様子が露わになることはない。加えて、防虫網６Ｂは網戸状に構成してなるので、防虫網６Ｂの両面が開放されても、虫等の侵入を防止することができる。
そして、通常時は、防虫網６Ｂの両面をスライド部材１０によって閉鎖しておくことで、室内外の空気の流通や音を遮断することができる一方で、スライド部材１０を上にスライド移動させ防虫網６Ｂの両面を開放することで、通風を行うことができる。
このようにして、容易に、かつ、スムーズに開口部Ａに配設した防虫網６Ｂの両面を開放することができる通風機能付間仕切りとなる。
【符号の説明】
【００８２】
１    扉本体
２    上枠
３    下枠
４    縦枠
５    パネル
６Ａ  ガラリ
６Ｂ  防虫網
１０  スライド部材
２０  案内溝
３０  バランスウェイト
３１  ワイヤ
３２  滑車
３３  コイルばね
４０  係止孔
４１  弾接ストッパ
５０  間仕切り本体
Ａ    開口部
【図１】
2010270496.tif 000003
【図２】
2010270496.tif 000004
【図３】
2010270496.tif 000005
【図４】
2010270496.tif 000006
【図５】
2010270496.tif 000007
【図６】
2010270496.tif 000008
【図７】
2010270496.tif 000009